Podtech/llm-jp-corpus-v4-ja_patent huggingface dataset:
【手続補正書】
【提出日】平成20年2月18日(2008.2.18)
【手続補正１】
【補正対象書類名】特許請求の範囲
【補正対象項目名】全文
【補正方法】変更
【補正の内容】
【特許請求の範囲】
【請求項１】
複数種の絵柄が周方向に付された複数の周回体と、
前記各周回体について各絵柄のうち一部の絵柄を視認可能とする表示窓と、
前記各周回体の回転を開始させるべく操作される始動操作手段と、
前記各周回体毎に設けられ、該各周回体を回転させる駆動手段と、
前記各周回体の回転を停止させるべく操作される複数の停止操作手段と、
前記始動操作手段の操作に基づいて前記各周回体の回転を開始させ、前記各停止操作手段の操作に基づいて対応する周回体の回転を停止させるように、前記各駆動手段を駆動制御する駆動制御手段と
を備えた遊技機において、
前記周回体のそれぞれに、前記絵柄の１種として特定絵柄を付し、
前記表示窓から視認できる有効位置に前記各周回体に付された特定絵柄のいずれが停止した場合であっても、前記各周回体が停止した後に遊技媒体を払い出す等の特典を付与する特典付与手段を備えたことを特徴とする遊技機。
【請求項２】
複数種の絵柄が周方向に付された複数の周回体と、
前記各周回体について各絵柄のうち一部の絵柄を視認可能とする表示窓と、
前記各周回体の回転を開始させるべく操作される始動操作手段と、
前記各周回体毎に設けられ、該各周回体を回転させる駆動手段と、
前記各周回体の回転を停止させるべく操作される複数の停止操作手段と、
前記始動操作手段の操作に基づいて前記各周回体の回転を開始させ、前記各停止操作手段の操作に基づいて対応する周回体の回転を停止させるように、前記各駆動手段を駆動制御する駆動制御手段と、
前記絵柄によって形成される特別絵柄の組合せが前記表示窓から視認できる有効位置に停止した場合、遊技状態を遊技者に有利な特別遊技状態に移行させる状態移行手段と
を備えた遊技機において、
前記周回体のそれぞれに、前記絵柄の１種として特定絵柄を付し、
遊技状態が前記特別遊技状態に移行した場合に、前記始動操作手段の操作に基づいて、前記特定絵柄と対応する特定絵柄役の抽選を行う抽選手段と、
前記有効位置に前記各周回体に付された特定絵柄のいずれが停止した場合であっても、前記各周回体が停止した後に遊技媒体を払い出す等の特典を付与する特典付与手段と
を備え、
前記駆動制御手段は、前記抽選手段の抽選結果が特定絵柄役当選である場合に、前記各停止操作手段のいずれかの操作に基づいて前記特定絵柄が前記有効位置に停止するよう対応する駆動手段を停止制御し、前記抽選手段による抽選結果が特定絵柄役非当選である場合に、前記各停止操作手段の操作に基づいて前記特定絵柄が前記有効位置に停止しないよう対応する駆動手段を停止制御することを特徴とする遊技機。
【請求項３】
複数種の絵柄が周方向に付された複数の周回体と、
前記各周回体について各絵柄のうち一部の絵柄を視認可能とする表示窓と、
前記各周回体の回転を開始させるべく操作される始動操作手段と、
前記始動操作手段の操作に基づいて役の抽選を行う抽選手段と、
前記各周回体毎に設けられ、該各周回体を回転させる駆動手段と、
前記各周回体の回転を停止させるべく操作される複数の停止操作手段と、
前記始動操作手段の操作に基づいて前記各周回体の回転を開始させ、前記各停止操作手段の操作に基づいて対応する周回体の回転を停止させるように、前記各駆動手段を駆動制御する駆動制御手段と
を備えた遊技機において、
前記周回体のそれぞれに、前記絵柄の１種として特定絵柄を付し、
前記表示窓から視認できる有効位置に前記各周回体に付された特定絵柄のいずれが停止した場合であっても、前記各周回体が停止した後に遊技媒体を払い出す等の特典を付与する特典付与手段と、
前記抽選手段の抽選結果が前記特定絵柄役当選である場合、１ゲーム中に前記停止操作手段の有効な操作が何回行われた場合に前記特定絵柄を前記有効位置に停止させるかの停止時期を決定する停止時期決定手段と、
何回目の有効な操作が行われた場合に前記特定絵柄を前記有効位置に停止させるかの選択率を記憶する選択率記憶手段と
を備え、
前記選択率記憶手段は、１回目の有効な操作が行われた場合を選択する確率が、それ以降の有効な操作が行われた場合を選択する確率より低い選択率を予め１つだけ記憶しており、前記停止時期決定手段は、前記選択率記憶手段の記憶する選択率に基づいて停止時期を決定し、前記駆動制御手段は、前記抽選手段の抽選結果が前記特定絵柄役当選である場合、前記停止時期決定手段の決定結果に応じて、前記特定絵柄が前記有効位置に停止するよう対応する駆動手段を停止制御することを特徴とする遊技機。
【手続補正書】
【提出日】平成20年5月27日(2008.5.27)
【手続補正１】
【補正対象書類名】明細書
【補正対象項目名】００３６
【補正方法】変更
【補正の内容】
【００３６】
また、上記実施の形態では、警報を発出する手段として、表示部３ ０ に設けたフィルタ清掃サインＬ Ｅ Ｄ ３ ２ 、第１ 警報Ｌ Ｅ Ｄ ３ ３ 、操作部４ ０
に設けた第２ 警報Ｌ Ｅ Ｄ ４ ２ 及びブザー４ ３ を用いたが、他の手段を用いてもよい。すなわち、店員等の視覚・聴覚に訴えるようなものであれば、どのような手段であってもよい。
【手続補正書】
【提出日】平成20年2月18日(2008.2.18)
【手続補正１】
【補正対象書類名】特許請求の範囲
【補正対象項目名】全文
【補正方法】変更
【補正の内容】
【特許請求の範囲】
【請求項１】
複数種の絵柄が周方向に付された複数の周回体と、
前記各周回体について各絵柄のうち一部の絵柄を視認可能とする表示窓と、
前記各周回体の回転を開始させるべく操作される始動操作手段と、
前記始動操作手段の操作に基づいて役の抽選を行う抽選手段と、
前記各周回体毎に設けられ、該各周回体を回転させる駆動手段と、
前記各周回体の回転を個別に停止させるべく操作される複数の停止操作手段と、
前記始動操作手段の操作に基づいて前記各周回体の回転を開始させ、前記各停止操作手段の操作に基づいて対応する前記周回体の回転を停止させるように、且つ前記役の抽選に当選した場合には、該当選役と対応する所定絵柄又は所定絵柄の組合せが前記表示窓から視認できる有効位置に停止し得るよう前記各駆動手段を駆動制御する駆動制御手段と、
前記有効位置に前記所定絵柄又は所定絵柄の組合せが停止した場合に、遊技媒体を払い出す等の特典を付与する特典付与手段と
を備えた遊技機において、
予め設定した基準位置を通過する通過絵柄と前記基準位置に停止させる停止絵柄との関係を定め得る複数の停止情報群と、
前記抽選手段の抽選結果に応じて前記複数の停止情報群から１の停止情報群を選択する停止情報群選択手段と、
該停止情報群選択手段の選択した停止情報群を格納する停止情報群格納手段と
を備え、
前記駆動制御手段を、前記停止情報群格納手段に格納された停止情報群に基づいて前記各駆動手段を駆動制御する構成とし、
さらに、
前記各停止操作手段のいずれかが操作された場合に、対応する周回体に付された絵柄のうち前記基準位置を通過する通過絵柄を確認する通過絵柄確認手段と、
前記駆動制御手段が前記停止情報群格納手段に格納された停止情報群に基づいて対応する駆動手段を駆動制御した後に、前記抽選手段の抽選結果及び前記通過絵柄確認手段の確認結果に応じて前記停止情報群格納手段に格納された停止情報群を変更する停止情報群変更手段と
を備えたことを特徴とする遊技機。
【請求項２】
前記各停止情報群には、１の停止絵柄に対して複数の通過絵柄が設定されている箇所があることを特徴とする請求項１に記載の遊技機。
【請求項３】
前記停止情報群変更手段は、前記抽選手段の抽選結果及び前記通過絵柄確認手段の確認結果から定まる停止情報群に変更することを特徴とする請求項１又は２に記載の遊技機。
【請求項４】
前記停止情報群変更手段は、前記駆動制御手段が前記停止情報群選択手段の選択した停止情報群に基づいて１の駆動手段を駆動制御した後に、前記停止情報群格納手段に格納された停止情報群を変更することを特徴とする請求項１乃至３のいずれか１項に記載の遊技機。
【請求項５】
前記停止情報群格納手段に格納された停止情報群を変更するか否かを決定する変更決定手段を備えることを特徴とする請求項１乃至４のいずれか１項に記載の遊技機。
【請求項６】
前記停止情報群選択手段の選択した停止情報群が前記停止情報群格納手段に格納された場合、該停止情報群に基づいた変更絵柄を設定する変更絵柄設定手段を備え、
前記変更決定手段は、前記変更絵柄設定手段の設定した変更絵柄と、前記通過絵柄確認手段の確認した通過絵柄とが一致した場合に、停止情報群を変更すると決定することを特徴とする請求項５に記載の遊技機。
【手続補正書】
【提出日】平成20年1月11日(2008.1.11)
【手続補正１】
【補正対象書類名】特許請求の範囲
【補正対象項目名】全文
【補正方法】変更
【補正の内容】
【特許請求の範囲】
【請求項１】
被検体にＸ線を照射するＸ線照射手段と、前記Ｘ線照射手段と前記被検体を挟んで対向配置され前記被検体の透過Ｘ線を検出するＸ線検出手段と、前記検出手段によって検出された前画像の情報を用いて現画像のノイズ低減を行うリカーシブフィルタ処理手段と、前記リカーシブフィルタ処理手段によってノイズ低減された画像を表示する画像表示手段と、を備えたＸ線画像診断装置において、  
前記Ｘ線検出手段によって検出された入力画像から所定の周波数成分で構成されるボケ画像を作成するボケ画像作成手段と、  
前記ボケ画像作成手段によって作成されたボケ画像とそのボケ画像を作成した前記入力画像との差分値からエッジ領域を判別するエッジ領域判別手段と、  
前記エッジ領域判別手段によって判別されたエッジ領域に対し前記リカーシブフィルタ処理手段の適応領域を制御する制御手段と、  
を備えたことを特徴とするＸ線画像診断装置。  
【請求項２】
前記エッジ領域判別手段は、前記差分値により形成される領域の大きさよって前記エッジ領域とする範囲を変化して判別することを特徴とする請求項１に記載のＸ線画像診断装置。  
【請求項３】
前記エッジ領域判別手段は、前記エッジ領域とされる範囲の変化が拡張である場合、そのエッジ領域と隣接する画素がそのエッジ領域の条件を満たさないときには、その該当するエッジ領域を判別すべきエッジ領域から除外することを特徴とする請求項２に記載のＸ線画像診断装置。  
【請求項４】
前記制御手段は、前記エッジ領域判別手段によって判別されたエッジ領域にそのエッジ領域以外の領域よりも前記リカーシブフィルタ処理の係数を小さくすることを特徴とする請求項１〜３の何れか一項に記載のＸ線画像診断装置。  
【請求項５】
被検体にＸ線を照射するＸ線照射手段と、前記Ｘ線照射手段と前記被検体を挟んで対向配置され前記被検体の透過Ｘ線を検出するＸ線検出手段と、前記検出手段によって検出された前画像の情報を用いて現画像のノイズ低減を行うリカーシブフィルタ処理手段と、前記リカーシブフィルタ処理手段によってノイズ低減された画像を表示する画像表示手段と、を備えたＸ線画像診断装置であって、前記Ｘ線画像診断装置のコンピュータに実行させるための画像表示プログラムは、  
前記検出された画像から周波数成分で構成されるボケ画像を作成するボケ画像作成処理と、  
前記ボケ画像作成処理によって作成されたボケ画像とそのボケ画像を作成した前記画像との差分値からエッジ領域を判別するエッジ領域判別処理と、  
前記エッジ領域判別処理によって判別されたエッジ領域に対し前記リカーシブフィルタ処理手段の適応領域を制御する制御処理と、  
をコンピュータに実行させるための前記Ｘ線画像診断装置の画像表示プログラム。  
【請求項６】
前記エッジ領域算出処理は、前記差分値により形成される領域の大きさよって前記エッジ領域とする範囲を変化して判別することを特徴とすることを特徴とする請求項５に記載のコンピュータに実行させるためのＸ線画像診断装置の画像表示プログラム。
【請求項７】
前記エッジ領域算出処理は、前記エッジ領域とされる範囲の変化が拡張である場合、そのエッジ領域と隣接する画素がそのエッジ領域の条件を満たさないときには、その該当するエッジ領域を判別すべきエッジ領域から除外することを特徴とする請求項７に記載のコンピュータに実行させるためのＸ線画像診断装置の画像表示プログラム。  
【請求項８】
前記制御処理は、前記エッジ領域判別手段によって判別されたエッジ領域にそのエッジ領域以外の領域よりも前記リカーシブフィルタ処理の係数を小さくすることを特徴とする請求項５乃至７の何れか一項に記載のコンピュータに実行させるためのＸ線画像診断装置の画像表示プログラム。
【手続補正２】
【補正対象書類名】明細書
【補正対象項目名】０００６
【補正方法】変更
【補正の内容】
【０００６】
本発明のX線画像診断装置は、被検体にＸ線を照射するＸ線照射手段と、前記Ｘ線照射手段と前記被検体を挟んで対向配置され前記被検体の透過Ｘ線を検出するＸ線検出手段と、前記検出手段によって検出された前画像の情報を用いて現画像のノイズ低減を行うリカーシブフィルタ処理手段と、前記リカーシブフィルタ処理手段によってノイズ低減された画像を表示する画像表示手段と、を備えたＸ線画像診断装置において、  
前記Ｘ線検出手段によって検出された入力画像から所定の周波数成分で構成されるボケ画像を作成するボケ画像作成手段と、 前記ボケ画像作成手段によって作成されたボケ画像とそのボケ画像を作成した前記入力画像との差分値からエッジ領域を判別するエッジ領域判別手段と、 前記エッジ領域判別手段によって判別されたエッジ領域に対し前記リカーシブフィルタ処理手段の適応領域を制御する制御手段と、を備える。
【手続補正３】
【補正対象書類名】明細書
【補正対象項目名】００１２
【補正方法】変更
【補正の内容】
【００１２】
本発明のコンピュータに実行させるためのX線画像診断装置の画像表示プログラムは、被検体にＸ線を照射するＸ線照射手段と、前記Ｘ線照射手段と前記被検体を挟んで対向配置され前記被検体の透過Ｘ線を検出するＸ線検出手段と、前記検出手段によって検出された前画像の情報を用いて現画像のノイズ低減を行うリカーシブフィルタ処理手段と、前記リカーシブフィルタ処理手段によってノイズ低減された画像を表示する画像表示手段と、を備えたＸ線画像診断装置であって、前記Ｘ線画像診断装置のコンピュータに実行させるための画像表示プログラムは、前記検出された画像から周波数成分で構成されるボケ画像を作成するボケ画像作成処理と、 前記ボケ画像作成処理によって作成されたボケ画像とそのボケ画像を作成した前記画像との差分値からエッジ領域を判別するエッジ領域判別処理と、前記エッジ領域判別処理によって判別されたエッジ領域に対し前記リカーシブフィルタ処理手段の適応領域を制御する制御処理と、をコンピュータに実行させる。
【手続補正書】
【提出日】平成20年1月30日(2008.1.30)
【手続補正１】
【補正対象書類名】特許請求の範囲
【補正対象項目名】全文
【補正方法】変更
【補正の内容】
【特許請求の範囲】
【請求項１】
インフルエンザウイルスによって感染され得るＭＤＣＫ細胞であって、該細胞がMDCK細胞（ATCCCCL34 MDCK(NBL-2)）由来であり、かつ、該ＭＤＣＫ細胞は無血清培地の懸濁物に
おける増殖に適合する、ＭＤＣＫ細胞。
【請求項２】
前記細胞が細胞株MDCK33016（DSM ACC2219）である、請求項１に記載のＭＤＣＫ細胞。
【請求項３】
細胞培養におけるインフルエンザウイルスの複製のための方法であって、
（i）懸濁物中の無血清培地において、ＭＤＣＫ細胞を増殖させる工程であって、該MDCK細胞は、インフルエンザウイルスによって感染され得、MDCK細胞（ATCCCCL34MDCK(NBL-2)）由来であり、かつ、該ＭＤＣＫ細胞は無血清培地の懸濁物における増殖に適合するものであるか、または
細胞株MDCK33016（DSM ACC2219）である、工程；
（ii）該細胞をインフルエンザウイルスに感染させる工程；
（iii）感染直前、または感染と同時に細胞懸濁物にプロテアーゼを添加し、赤血球凝集素[HA0]の前駆体タンパク質を切断する工程；および
（iv）さらなる培養期の後、該細胞中で複製した該インフルエンザウイルスを単離する工程；
を含む、方法によって入手されうるインフルエンザウイルス。
【請求項４】
請求項３に記載のインフルエンザウイルスまたは該ウイルスの成分を含む、診断薬。
【請求項５】
実施例に記載されるMDCK細胞株。
【手続補正書】
【提出日】平成20年1月15日(2008.1.15)
【手続補正１】
【補正対象書類名】明細書
【補正対象項目名】０００１
【補正方法】変更
【補正の内容】
【０００１】
本発明は、生体骨の欠損部に人工骨を固定するための固定構造と、それに用いる固定治具とに関し、特に、スクリューを用いて人工骨と生体骨とを固定するための固定構造と、それに用いる固定治具とに関する。
【手続補正２】
【補正対象書類名】明細書
【補正対象項目名】０００２
【補正方法】変更
【補正の内容】
【０００２】
事故や疾病の治療により、生体骨の一部を欠損した場合、その代用部材として、人工骨が利用されている。人工骨は、硬質であり且つ生体安全性の高いセラミックから形成されている。
【手続補正３】
【補正対象書類名】明細書
【補正対象項目名】００２６
【補正方法】変更
【補正の内容】
【００２６】
緩衝部材２の膨出部２２は、緩衝部材２が、人工骨８の開口部８１に挿入した後に脱落するのを防止するために形成されている。膨出部２２は、開口部８１の裏面側まで突出させることにより開口部８１の裏面側縁部に係合する。これにより、緩衝部材２は、開口部８１から抜けにくくなる。よって、膨出部２２の外径は、開口部８１の内径よりも大きくしなくてはならい。しかしながら、その寸法差が大きすぎると、膨出部２２を開口部８１に挿通させにくくなるので好ましくない。
【手続補正書】
【提出日】平成20年9月3日(2008.9.3)
【手続補正１】
【補正対象書類名】特許請求の範囲
【補正対象項目名】全文
【補正方法】変更
【補正の内容】
【特許請求の範囲】
【請求項１】
カメラ付きドアホンと、このドアホンに通信可能に接続された表示端末と、表示端末にネットワークを通じて通信可能に接続された外部端末とを備え、表示端末は、外部端末から外部情報を取得する情報取得手段と、外部情報およびドアホンが撮像した画像情報を表示する表示手段と、外部情報あるいは画像情報を外部に出力する出力手段とを有することを特徴とする情報表示システム。
【請求項２】
表示端末は、ドアホンを制御する制御手段を有し、外部端末の指令によりドアホンを制御することを特徴とする請求項１記載の情報表示システム。
【請求項３】
制御手段は、外部端末の要求により出力手段を通じてドアホンの設定状態を外部に出力することを特徴とする請求項２記載の情報表示システム。
【手続補正書】
【提出日】平成20年5月15日(2008.5.15)
【手続補正１】
【補正対象書類名】特許請求の範囲
【補正対象項目名】全文
【補正方法】変更
【補正の内容】
【特許請求の範囲】
【請求項１】
ボックス本体（１１）内に、太陽電池モジュール（Ｍ）の電極（ａ）が接続される複数の端子板（１２）を配設し、その隣り合う各端子板（１２）間に逆流防止用ダイオード（１３）を設けた太陽電池モジュール用端子ボックス（Ｂ）において、
上記逆流防止用ダイオード（１３）を複数並列に上記隣り合う各端子板（１２）間に設けるとともに、上記各端子板（１２）に放熱片（２０）を設け、その放熱片（２０）は前記端子板（１２）と同じ板材からなってその端子板（１２）の前記逆流防止用ダイオード（１３）の並列方向に沿う側縁から突出して設けられていることを特徴とする太陽電池モジュール用端子ボックス。
【請求項２】
上記ダイオード（１３）と端子板（１２）の接続点（１３ｃ）を上記ボックス本体（１１）の底面から浮かせ、上記放熱片（２０）を、前記接続点から前記ボックス本体（１１）の底面側の空間に屈曲させた後、さらに、起立屈曲させたことを特徴とする請求項１記載の太陽電池モジュール用端子ボックス。
【請求項３】
上記端子板（１２）に立片（１２ｂ）を起立させ、その立片（１２ｂ）に上記ダイオード（１３）を接続して、そのダイード（１３）と端子板（１２）の接続点（１３ｃ）を上記ボックス本体（１１）の底面から浮かせたことを特徴とする請求項１に記載の太陽電池モジュール用端子ボックス。
【請求項４】
上記立片（１２ｂ）及び放熱片（２０）は、上記ダイオード（１３）の並列方向に沿う側縁からその並列方向に沿って交互に起立屈曲されて突出していることを特徴とする請求項３に記載の太陽電池モジュール用端子ボックス。
【手続補正２】
【補正対象書類名】明細書
【補正対象項目名】００１９
【補正方法】変更
【補正の内容】
【００１９】
一実施例を図１（ａ）〜図１（ｆ）に示し、この実施例は、上面開口のポリフェニレンオキサイド（ＰＰＯ）樹脂又はポリフェニレンエーテル（ＰＰＥ）樹脂製四角形状ボックス本体１１内に、太陽電池モジュールＭのプラス電極ａ及びマイナス電極ａが接続される２対の端子板１２（４枚の端子板１２）を並列に配設している。その各電極ａ、ａは透孔１１ａ、１２ａを通して端子板１２の中程に半田付けされる。その電極ａの端子板１２の接続個所には予め予備半田１４が設けられている。
【手続補正３】
【補正対象書類名】明細書
【補正対象項目名】００２７
【補正方法】変更
【補正の内容】
【００２７】
図４に示す実施例は、端子板１２に放熱片２０を連続して一体に設けたものであり、その端子板１２は、同図（ｃ）に示すように、従来の端子板の両側縁（ダイオード１３の並列方向の側縁）に放熱片２０及び立片１２ｂを前記並列方向に沿って交互に突出させて、その表面積の拡大を図っている。この端子板１２は、同図（ａ）、（ｄ）に示すように、その放熱片２０を起立屈曲させてボックス本体１１に嵌め、その放熱片２０による表面積の拡大により、放熱効果は向上する。また、立片１２ｂを起立させてその立片１２ｂにダイオード１３を接続する。
この実施例でのケーブルロック１７は、ボックス本体１１に一体の筒１７ｂに、同図（ｅ）に示す偏心止め具１７ｃを嵌めてその側面をケーブルＰに当接し、その偏心止め具１７ｃの表面の数字に基づく回転度合による圧接度によりケーブルＰを固定・抜け止めし、その状態をビス１７ｄ止めする構成としている。
【手続補正４】
【補正対象書類名】明細書
【補正対象項目名】００３５
【補正方法】変更
【補正の内容】
【００３５】
さらに、半田付けによるダイオード１３の端子板１２への接続においても、放熱片２０等を設けてダイオード１３をその長いリード脚１３ａでその放熱片２０等を介して端子板１２に接続できる場合には、図１１に示すように、ダイオード本体から離れた位置で半田付けｂをするようにしてその半田付接続時の熱ストレスを極力少なくすることが好ましい。このとき、その半田付接続を溝３１への嵌合接続と併用することができる。
また、図６、図１２に示す実施例では、ダイオード１３と端子板１２の接続点１３ｃはボックス本体１１の底面から浮いて（図６（ｃ）参照）、放熱片２０が、前記接続点１３ｃからボックス本体１１の底面側の空間に屈曲した後、さらに、起立屈曲しているため、放熱面積が多くなっている。
【手続補正５】
【補正対象書類名】図面
【補正対象項目名】図４（ｃ）
【補正方法】変更
【補正の内容】
【図４（ｃ）】
2008034873.tif 000001
【手続補正６】
【補正対象書類名】図面
【補正対象項目名】図４（ｄ）
【補正方法】変更
【補正の内容】
【図４（ｄ）】
2008034873.tif 000002
【手続補正７】
【補正対象書類名】図面
【補正対象項目名】図６（ｃ）
【補正方法】変更
【補正の内容】
【図６（ｃ）】
2008034873.tif 000003
【手続補正書】
【提出日】平成19年12月12日(2007.12.12)
【手続補正１】
【補正対象書類名】特許請求の範囲
【補正対象項目名】全文
【補正方法】変更
【補正の内容】
【特許請求の範囲】
【請求項１】
表示部の表示形態を選択する選択手段と、
前記選択手段により第１の表示形態が選択された場合、第１のタイプのデータのそれぞれを示す画像と第２のタイプのデータの少なくとも１つを示すアイコンとを表示し、前記選択手段により第２の表示形態が選択された場合、前記第１のタイプのデータの少なくとも１つを示すアイコンと前記第２のタイプのデータのそれぞれを示す画像とを表示する表示制御手段と
を有することを特徴とする画像表示装置。
【請求項２】
前記選択手段は、前記第２の表示形態において、前記第１のタイプのデータを示すアイコンが指定されることに応じて、前記第１の表示形態を選択することを特徴とする請求項１に記載の画像表示装置。
【請求項３】
前記画像は、前記第１のタイプ及び第２のタイプのデータのそれぞれに対応するサムネイル画像であることを特徴とする請求項１または２に記載の画像表示装置。
【請求項４】
前記表示制御手段は、前記第１の表示形態において、前記第２のタイプのデータを示すアイコンが示すデータの数を当該アイコンとともに表示することを特徴とする請求項１乃至３のいずれか１項に記載の画像表示装置。
【請求項５】
前記表示制御手段は、前記第１の表示形態において、前記第２のタイプのデータを示すアイコンを前記第１のタイプのデータを示す画像よりも小さなサイズで表示することを特徴とする請求項１乃至４のいずれか１項に記載の画像表示装置。
【請求項６】
前記第１のタイプのデータは動画像データであり、前記第２のタイプのデータは静止画像データであることを特徴とする請求項１乃至５のいずれか１項に記載の画像表示装置。
【請求項７】
前記表示制御手段は、前記画像と前記アイコンとを、前記画像及び前記アイコンが示すデータの作成時刻に基づく順番で表示することを特徴とする請求項1乃至６のいずれか１項に記載の画像表示装置。
【請求項８】
表示部の表示形態を選択する選択工程と、
前記選択工程で第１の表示形態が選択された場合、第１のタイプのデータのそれぞれを示す画像と第２のタイプのデータの少なくとも１つを示すアイコンとを表示し、前記選択工程で第２の表示形態が選択された場合、前記第１のタイプのデータの少なくとも１つを示すアイコンと前記第２のタイプのデータのそれぞれを示す画像とを表示する表示制御工程と
を有することを特徴とする画像表示方法。
【請求項９】
コンピュータに、請求項８に記載の画像表示方法の各工程を実行させるためのプログラム。
【請求項１０】
請求項９に記載のプログラムを格納したことを特徴とするコンピュータが読み取り可能な記憶媒体。
【手続補正２】
【補正対象書類名】明細書
【補正対象項目名】発明の名称
【補正方法】変更
【補正の内容】
【発明の名称】画像表示装置、画像表示方法、プログラム及び記憶媒体
【手続補正３】
【補正対象書類名】明細書
【補正対象項目名】０００８
【補正方法】変更
【補正の内容】
【０００８】
しかし、従来技術においては、ユーザがある特定のフォーマットを対象とした再生画面から別の再生画面へと画面表示を変更させる際には、インデックス再生画面内に用意されたタブを選択する事により画面を遷移させる必要があった。もしくは、再生装置に設置されている機械的なスイッチを切り換えることにより再生画面を遷移させる必要があった。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
そこで本発明は、異なるフォーマットデータの存在が容易に認知できる画面を表示する画像表示装置及び方法の提供を目的とする。
【手続補正６】
【補正対象書類名】明細書
【補正対象項目名】００１１
【補正方法】変更
【補正の内容】
【００１１】
上記目的を達成するために、本願の実施形態における画像表示装置は、表示部の表示形態を選択する選択手段と、前記選択手段により第１の表示形態が選択された場合、第１のタイプのデータのそれぞれを示す画像と第２のタイプのデータの少なくとも１つを示すアイコンとを表示し、前記選択手段により第２の表示形態が選択された場合、前記第１のタイプのデータの少なくとも１つを示すアイコンと前記第２のタイプのデータのそれぞれを示す画像とを表示する表示制御手とを有する。
【手続補正７】
【補正対象書類名】明細書
【補正対象項目名】００１２
【補正方法】変更
【補正の内容】
【００１２】
上記目的を達成するために、本願の他の実施形態における画像表示方法は、表示部の表示形態を選択する選択工程と、前記選択工程で第１の表示形態が選択された場合、第１のタイプのデータのそれぞれを示す画像と第２のタイプのデータの少なくとも１つを示すアイコンとを表示し、前記選択工程で第２の表示形態が選択された場合、前記第１のタイプのデータの少なくとも１つを示すアイコンと前記第２のタイプのデータのそれぞれを示す画像とを表示する表示制御工程とを有する。
【手続補正８】
【補正対象書類名】明細書
【補正対象項目名】００１３
【補正方法】変更
【補正の内容】
【００１３】
上記目的を達成するために、本願のさらに他の実施形態においては、
前記実施形態における画像表示方法の手順をコンピュータに実行させるためのプログラムを記憶したコンピュータ読み取り可能な記憶媒体を提供する。
【手続補正９】
【補正対象書類名】明細書
【補正対象項目名】００１４
【補正方法】変更
【補正の内容】
【００１４】
本発明による画像表示装置によれば、ユーザの再生画面における利便性の向上を実現することができる。
【手続補正書】
【提出日】平成20年3月13日(2008.3.13)
【手続補正１】
【補正対象書類名】明細書
【補正対象項目名】特許請求の範囲
【補正方法】変更
【補正の内容】
【特許請求の範囲】
【請求項１】  サービスアクセス制御機構を実現するアクセス制御モジュール（Ａ１、Ａ２、Ａ３、．．．、Ａｎ）を含む、サービス呼（Ｃ）を管理するためのシステムであって、さらに、各々が、サービスと、アクセス制御モジュールの集合（Ｅ）と、呼処理モジュール（Ｒ１、Ｒ２、Ｒ３、．．．、Ｒｐ）の集合（ＥＲ）とに関連付けられたマスタモジュールを含み、
前記呼を受信するための手段と、
前記呼の各々に関する情報（Ｉ）をアクセス制御モジュールの前記集合に送信するための手段と、
アクセス制御モジュールの前記集合から受信したデータ（Ｄ）に基づいて前記呼を受理することを決定するための手段と、
前記呼が受理された場合、前記呼の各々に関係する第２の情報（Ｉｒ）を呼処理モジュールの前記集合に送信するための手段とを含むシステム。
【請求項２】  前記アクセス制御モジュールが、「呼受理」決定（ＤＲ）と、「呼拒絶」決定（ＤＲ）と、「決定なし」決定（ＤＲ）とを発行するための手段を含む、請求項１に記載のシステム。
【請求項３】  決定を行うための前記手段が、「呼受理」決定（ＤＲ）と、「呼拒絶」決定（ＤＲ）とを前記マスタモジュールに送信することを特徴とする、請求項１または２に記載のシステム。
【請求項４】  決定を行うための前記手段が、「決定なし」決定を前記マスタモジュールに送信することを特徴とする、請求項１から３のいずれか一項に記載のシステム。
【請求項５】  前記アクセス制御モジュールがチェーン型に構成され、前記チェーンの最後の呼制御モジュールの決定を行うための前記手段が、前記マスタモジュールに決定を送信するように構成され、他のアクセス制御モジュールが、その呼に関する前記情報を後続のアクセス制御モジュールに送信するための手段を含む、請求項３に記載のシステム。
【請求項６】  各マスタモジュールがさらに、新しいアクセス制御モジュールを追加する要求を受信し、該マスタモジュールに関連付けられたアクセス制御モジュールの集合に、該新しいアクセス制御モジュールを含めるための手段とを含む、請求項１から５のいずれか一項に記載のシステム。
【請求項７】  各マスタモジュールがさらに、新しい呼処理モジュールを追加する要求を受信し、該マスタモジュールに関連付けられた呼処理モジュールの集合に新しい呼処理モジュールを含めるための手段とを含む、請求項１から６のいずれか一項に記載のシステム。
【請求項８】  情報処理システムによってサービス呼を自動的に管理するための方法であって、
マスタモジュールによって、呼を受信するステップと、
前記マスタモジュールによって、前記呼に関する情報をアクセス制御モジュールの集合に送信するステップと、
前記アクセス制御モジュールによって、前記呼に関する前記情報に基づいて決定を行うステップと、
アクセス制御モジュールの前記集合から、少なくとも１つの前記決定を前記マスタモジュールに送信するステップと、
前記少なくとも１つの決定に従って前記マスタモジュールによる最終決定を行うステップと、
前記呼が受理された場合、その呼に関係する第２の情報を呼処理モジュールの集合に送信するステップとを順に含むことを特徴とする方法。
【請求項９】  新しいアクセス制御モジュール、新しい呼処理モジュール、またはその両方をサービス呼管理システムに動的に追加する方法であって、前記新しいアクセス制御モジュールの識別子、前記新しい呼処理モジュールの識別子、またはその両方を含むメッセージを、前記マスタモジュールに送信する方法。
【手続補正書】
【提出日】平成20年6月18日(2008.6.18)
【手続補正１】
【補正対象書類名】明細書
【補正対象項目名】特許請求の範囲
【補正方法】変更
【補正の内容】
【特許請求の範囲】
【請求項１】繊維質飼料及び／又は穀類と、有機性廃棄物とを混合し油分を５％以上に調節した原料に麹菌を混和し、発酵させることを特徴とする麹混和飼料の製造方法。
【請求項２】フスマに麹菌を生育させたフスマ麹と有機性廃棄物とを混合し油分５％以上に調節した原料を発酵させる、麹混和飼料の製造方法。
【請求項３】上記麹菌が、Asp.oryzae, Asp.awamori, Asp.sojaeからなる群から選択された麹菌である請求項１又は２に記載の麹混和飼料の製造方法。
【請求項４】上記麹菌が、Asp.oryzae.kawachii， Asp.awamori.kawachiiからなる群から選択された麹菌である請求項１ないし３のいずれか１項に記載の麹混和飼料の製造方法。
【請求項５】上記繊維質飼料が、フスマ、麦ぬか、米ぬか、干草、ビートパルプのいずれかまたは複数を含むものであることを特徴とする請求項１ないし４のいずれか１項に記載の麹混和飼料の製造方法。
【請求項６】前記穀類は、米、大麦、圧ペン大麦、小麦、燕麦、ライ麦、大豆、トウモロコシのいずれか又は複数を含むものであることを特徴とする請求項１ないし５のいずれか１項に記載の麹混和飼料の製造方法。
【請求項７】前記有機性廃棄物は、ジュースの絞り粕、残飯、糖蜜、死魚、鶏糞のいずれか又は複数を含むものであることを特徴とする請求項１ないし６のいずれか１項に記載の麹混和飼料の製造方法。
【請求項８】前記発酵後に、さらに繊維質飼料、穀類、または、有機性廃棄物、あるいはこれらから選択された２種以上を加えることを特徴とする請求項１ないし７のいずれか１項に記載の麹混和飼料の製造方法。
【請求項９】繊維質飼料及び／又は穀類、及び有機性廃棄物を含有する水分が５０％以下で油分５％以上の原料を昇温殺菌して培地とし、培地を麹菌の育成可能な温度にまで降温した後、培地に麹菌を混和し、培地と麹菌を恒温槽で保温しつつ麹菌を醗酵させて水分を２０重量％以下にまで減量することを特徴とする請求項１に記載の麹混和飼料の製造方法。
【請求項１０】前記昇温殺菌が蒸気殺菌によって行われることを特徴とする請求項９に記載の麹混和飼料の製造方法。
【請求項１１】前記保温が品温を３５℃から５０℃の範囲に２４時間以上保持するものであることを特徴とする請求項９又は１０のいずれか１項に記載された麹混和飼料の製造方法。
【請求項１２】麹菌の醗酵後に有機性廃棄物を混和することを特徴とする請求項９ないし１１のいずれか１項に記載の麹混和飼料の製造方法。
【請求項１３】前記請求項１ないし１２のいずれか１項に記載の方法で製造された麹混和飼料が全体の５重量％以上となるよう、さらに大麦、米、大豆、トウモロコシ、干草、糖蜜、ビートパルプから選択された１種または２種以上の一般飼料に混合されることを特徴とする飼料の製造方法。
【請求項１４】前記請求項１ないし１２のいずれか１項に記載の方法で製造された麹混和飼料が全体の３０重量％以下となるよう、さらに大麦、米、大豆、トウモロコシ、干草、糖蜜、ビートパルプから選択された１種または２種以上の一般飼料と混合されることを特徴とする飼料の製造方法。
【請求項１５】繊維質飼料及び／又は穀類と、有機性廃棄物とを混合した油分５％以上の原料に麹菌が生育したものであることを特徴とする麹混和飼料。
【請求項１６】上記麹菌が、Asp.oryzae, Asp.awamori, Asp.sojaeからなる群から選択された麹菌である請求項１５に記載の麹混和飼料。
【請求項１７】上記麹菌が、Asp.oryzae.kawachii，Asp.awamori.kawachiiからなる群から選択された麹菌である請求項１５又は１６に記載の麹混和飼料。
【請求項１８】前記繊維質飼料は、フスマ、麦ぬか、米ぬか、干草、ビートパルプのいずれかまたは複数を含むものであることを特徴とする請求項１５ないし１７のいずれか１項に記載の麹混和飼料。
【請求項１９】前記穀類は、米、大麦、圧ペン大麦、小麦、燕麦、ライ麦、大豆、トウモロコシのいずれか又は複数を含むものであることを特徴とする前記請求項１５ないし１８のいずれか１項に記載の麹混和飼料。
【請求項２０】前記有機性廃棄物は、ジュースの絞り粕、残飯、糖蜜、死魚、鶏糞のいずれか又は複数を含むものであることを特徴とする前記請求項１５ないし１９のいずれか１項に記載の麹混和飼料。
【請求項２１】繊維質飼料及び／又は穀類、及び有機性廃棄物を含有する水分が５０％以下で油分５％以上の原料を昇温殺菌して培地とし、培地を麹菌の育成可能な温度にまで降温した後、培地に麹菌を混和し、恒温槽で保温しつつ麹菌を醗酵させて得られた、
水分が２０重量％以下の長期保存可能であることを特徴とする請求項１５ないし２０のいずれか１項に記載の麹混和飼料。
【請求項２２】前記昇温殺菌は蒸気殺菌によって行われることを特徴とする請求項２１に記載の麹混和飼料。
【請求項２３】前記保温は品温を３５℃から５０℃の範囲に２４時間以上保持するものであることを特徴とする請求項２１又は２２に記載の麹混和飼料。
【請求項２４】麹菌を発酵させた飼料と有機性廃棄物とを混和することを特徴とする請求項２１ないし２３のいずれか１項に記載の麹混和飼料。
【請求項２５】全体の５重量％以上の前記請求項１５ないし２４のいずれか１項に記載の麹混和飼料と、大麦、米、大豆、トウモロコシ、干草、糖蜜、ビートパルプから選択された１種または２種以上の一般飼料とからなる飼料。
【請求項２６】全体の３０重量％以下の前記請求項１５ないし２４のいずれか１項に記載の麹混和飼料と、大麦、米、大豆、トウモロコシ、干草、糖蜜、ビートパルプから選択された１種または２種以上の一般飼料とからなる飼料。
【手続補正書】
【提出日】平成20年8月1日(2008.8.1)
【手続補正１】
【補正対象書類名】明細書
【補正対象項目名】特許請求の範囲
【補正方法】変更
【補正の内容】
【特許請求の範囲】
【請求項１】  式Iの化合物又は式Ｉの化合物の医薬品として許容可能な塩
【化１】
2002138083.tif 000001
式中:
nは、2であり;
R2は、フェニル、p-トリル、2-若しくは3-チエニル、2-若しくは3-ピリジル又は5-メチル-2-ピリジルを表し;
R4は、フェニル、又は１-、２-若しくは３-置換フェニルを表し、ここで、置換基は、1〜4個の炭素原子のアルキル、1〜4個の炭素原子のアルキルオキシ及びメチレンジオキシから選ばれ;
R5は、水素、メチル又はイソプロピルを表し;
R6は、水素又は1〜4個の炭素原子のアルキルを表す。
【請求項２】  下記から選ばれる請求項１に記載の化合物:
・  5-i.-プロピル-N-[6-(エトキシ-2-(4-メチルベンゼンスルホンアミド))-5-(o-メトキシフェノキシ)-2-(3,4,5-トリメトキシフェニル)-4-ピリミジニル]ピリジン-2-スルホンアミド、及び
・  5-i.-プロピル-N-[6-(エトキシ-2-チオフェンスルホンアミド)-5-(o-メトキシフェノキシ)-2-(3,4,5-トリメトキシフェニル)-4-ピリミジニル]ピリジン-2-スルホンアミド、
又はこれらの化合物の医薬品として許容可能な塩。
【請求項３】  請求項１又は２に記載の化合物及び通常の担体物質及び補助剤を含むエンドセリンの役割と関連する疾患の治療のための医薬組成物。
【請求項４】  高血圧、虚血、血管れん縮及び狭心症を含む循環器系疾患及び癌を含む増殖性疾患の治療のための、請求項３に記載の医薬組成物。
【請求項５】  片頭痛、喘息又は炎症性疾患の治療のための、請求項３に記載の医薬組成物。
【請求項６】  エンドセリンの役割と関連する疾患の治療のための薬剤として使用する請求項１又は２記載の化合物。
【請求項７】  エンドセリンの役割と関連する疾患が高血圧、虚血、血管れん縮及び狭心症を含む循環器系疾患、癌を含む増殖性疾患、喘息又は炎症性疾患である請求項６に記載の薬剤として使用する化合物。
【請求項８】  ＥＴＢの選択的遮断を必要とするエンドセリンの役割と関連する疾患の治療のための薬剤として使用する請求項６に記載の化合物。
【請求項９】  高血圧、虚血、血管れん縮及び狭心症を含む循環器系疾患及び癌を含む増殖性疾患のエンドセリンの役割と関連する疾患の治療のための医薬組成物の製造のための活性成分として、請求項１又は２に記載の１又は複数の化合物の使用。
【請求項１０】  片頭痛、喘息又は炎症性疾患を含むエンドセリン活性と関連する疾患の治療のための医薬組成物の製造のための活性成分として請求項１又は２に記載の１又は複数の化合物の使用。
【請求項１１】  エンドセリンの役割と関連する疾患の治療のための活性成分として請求項１又は２に記載の１又は複数の化合物を含む医薬組成物の製造方法で、該方法がそれ自体既知の方法で１又は複数の活性成分を医薬品として許容可能な賦形剤と混合することを含む製造方法。
【手続補正書】
【提出日】平成20年8月26日(2008.8.26)
【手続補正１】
【補正対象書類名】明細書
【補正対象項目名】特許請求の範囲
【補正方法】変更
【補正の内容】
【特許請求の範囲】
【請求項１】  主圧縮機（１０８）、燃焼器（１１０，１１８）及びタービン（１１２）と、
前記燃焼器に液体燃料を供給するために連結された液体燃料供給源（２７２，１０２）と、
前記燃焼器に気体燃料を供給するために連結された気体燃料供給源（１０６）と、
液体燃料パージシステムと
を含むガスタービンであって、前記液体燃料パージシステムが、
パージマニホールド（２３４）と、
圧縮機空気を前記パージシステム中に引き込むための、前記主圧縮機の圧縮機空気吐出ポート（２０２）との連結具と、
それを通して圧縮機空気を前記パージマニホールド（２３４）に流す、前記吐出ポートと前記パージマニホールドとの間の導管（２１０）と、
前記パージマニホールド（２３４）及び液体燃料供給源（２７２，１０２）を前記燃焼器（１１８）へ二者択一的に連結する弁（４００）と
を含んでおり、前記弁（４００）が、該弁を通してパージ空気が前記燃焼器に流れるパージ設定と該弁を通して液体燃料が前記燃焼器に流れる液体燃料設定とを有しているとともに、液体燃料供給源（２７２，１０２）から加わる液体燃料圧力によって作動される受動アクチュエータ（４１０）と、能動アクチュエータ（４０８）とを含んでいて、前記弁（４００）が、使用時に、前記パージ設定と前記液体燃料設定との間で該弁を切り換える受動モードと、高燃料流量状態の間に前記能動アクチュエータ（４０８）によって該弁を液体燃料設定に保持する能動モードとを有する、ガスタービン。
【請求項２】  前記弁（４００）が三方弁である、請求項１に記載のガスタービン。
【請求項３】  前記導管は、前記圧縮機空気吐出ポートにおける圧力より大きくない圧力で、圧縮機空気を前記パージマニホールドに供給する、請求項１に記載のガスタービン。
【請求項４】  前記弁が、液体燃料供給源（２７２）に連結された第１のポートと、パージマニホールド（２３４）に連結された第２のポートと、燃焼器（１１８）に連結された第３のポートとを有する三方弁である、請求項１に記載のガスタービン。
【請求項５】  液体燃料システムにより燃料を供給され、タービンを駆動するための高温ガスを発生する燃焼器に加圧空気を供給する主圧縮機を有するガスタービンのパージ方法であって、
ａ．  前記燃焼器に液体燃料を供給し、該液体燃料を燃焼して前記高温燃焼ガスを発生する段階であって、前記液体燃料を弁を通して前記燃焼器に供給される段階と、
ｂ．  前記燃焼器へ供給する液体燃料を別の種類の燃料の供給に切り換える段階と、
ｃ．  加圧空気を前記弁を介して前記燃焼器に導くことにより、前記液体燃料システムから液体燃料をパージする段階と、
ｄ．前記段階（ａ）において前記弁を通して液体燃料が前記燃焼器に流れるように、液体燃料圧力を前記弁に加えることによって前記弁を切り換える段階と、
ｅ．高燃料流量状態の間に、前記弁を通して液体燃料が流れるように前記弁を保持する段階と
を含むガスタービンのパージ方法。
【請求項６】  前記弁が三方弁であり、当該方法が、前記段階（ｃ）においてパージ空気が前記弁を通して前記燃焼器に流れるパージ位置で前記弁を作動させ、前記段階（ａ）において液体燃料が前記弁を通して前記燃焼器に流れる燃料位置で前記弁を作動させることを含む、請求項５に記載のガスタービンのパージ方法。
【手続補正書】
【提出日】平成20年7月15日(2008.7.15)
【手続補正１】
【補正対象書類名】明細書
【補正対象項目名】請求項１
【補正方法】変更
【補正の内容】
【請求項１】 ガスタービンエンジン燃焼室（１０）の損傷した鋳物の又は鍛造の環状蒸散冷却式ライナ（１２、１４）を修理する方法であって、
ライナ（１２、１４）の上流側セクション（３０）と下流側セクション（３２）の間から、損傷領域を含む前記ライナ（１２、１４）の環状部分（３４）を取除く段階と、
上流側端部（４４）と該上流側端部（４４）の反対側の下流側端部（４６）の間に延びる少なくとも1つの軸方向継ぎ目（４２）を有し、前記ライナ（１２、１４）の前記取除いた環状部分（３４）と類似の寸法及び形状にされた環状置換えセクション（４０）に、金属薄板を成形する段階と、
前記成形された環状置換えセクション（４０）の前記上流側端部（４４）を前記ライナ（１２、１４）の前記上流側セクション（３０）に結合する段階と、前記成形された環状置換えセクション（４０）の前記下流側端部（４６）を前記ライナ（１２、１４）の前記下流側セクション（３２）に結合する段階と、
を含むことを特徴とする方法。
【手続補正書】
【提出日】平成20年7月24日(2008.7.24)
【手続補正１】
【補正対象書類名】明細書
【補正対象項目名】特許請求の範囲
【補正方法】変更
【補正の内容】
【特許請求の範囲】
【請求項１】 
複数の外方シート（１８）を内部に有する外方バンド（１４）と、
複数の内方シート（２０）を内部に有する内方バンド（１６）と、
エーロフォイル（２４）を各々が含む複数のノズルベーン（２２）と、
を含み、
各エーロフォイルは各々の両端における外方及び内方ハブ（２６）を含み、各前記ハブは、対応する外方及び内方隅肉（３２）においてエーロフォイルに融和し、各前記ハブは、該対応するエーロフォイルよりも大きな幅を有し、
前記ベーンのハブ（２６）は、前記外方及び内方シートの対応するものに配置され、前記ベーンを前記バンドに固定して接合するために内部にろう付け結合（３０）を有する隙間（２８）をハブ及びシート間に形成し、前記隅肉（３２）は、前記エーロフォイル近接でろう付け無しのものであり、
前記隙間（２８）は、前記隅肉（３２）において前記エーロフォイルからほぼ平行にオフセットされ、前記ろう付け結合（３０）は、前記エーロフォイルから、ろう付け結合及びエーロフォイル間の前記隅肉によりオフセットされる、ことを特徴とするタービンノズル（１０）。
【請求項２】 
前記ハブ（２６）は、前記隙間（２８）において前記バンド（１４及び１６）と実質的に同一平面にあり、前記ろう付け結合は、前記隅肉及びバンド間の前記隙間の頂上と実質的に同一平面にある、ことを特徴とする請求項１に記載のノズル。
【請求項３】 
前記ベーンの各々は中空であり、前記エーロフォイル（２４）を通って延び、冷却空気（３８）を通して導く内部流路（３６）と、前記隅肉（３２）のうちの１つを通って延び、前記流路と流体連通する冷却孔（４２）と、を更に含むことを特徴とする請求項１に記載のノズル。
【請求項４】 前記冷却孔（４２）は、前記ろう付け結合（３０）及び前記エーロフォイル（２４）の間に間隔を空けて配置されることを特徴とする請求項３に記載のノズル。
【請求項５】 前記冷却孔（４２）は、前記ベーン（２２）を通って前記ろう付け結合（３０）に向かって傾斜され、ろう付け結合を膜冷却することを特徴とする請求項４に記載のノズル。
【請求項６】 
請求項１のタービンノズル（１０）を形成する方法であって、
前記バンド（１４及び１６）とベーン（２２）とを対応する金型で成形する段階と、
前記成形されたバンド及びベーンを組み立てる段階と、
前記隅肉（３２）において前記バンド及びハブ間のいかなる段の大きさをも測定する段階と、
前記測定された段に相当する材料を前記金型から局所的に除去するために前記金型を研磨する段階と、
前記隙間において前記ハブを前記バンドと実質的に同一平面に置くために、前記測定された段を減ずるように前記バンド及びベーンを前記研磨された金型で再び成形する段階と、
前記隙間において前記バンド及びベーンを互いにろう付け結合する段階と、
を含むことを特徴とする方法。
【請求項７】 
前記ベーンのうちの１つに対応する前記金型は、金型から材料を除去するために研磨され、その金型から成形された前記隅肉の上に材料が相応して加えられることを特徴とする請求項６に記載の方法。
【請求項８】 請求項６に記載の方法であって、
前記ベーンとバンドとを別々に成形する段階と、
前記成形されたベーンの前記１つの隅肉を貫通して前記冷却孔を穴空けする段階と、
前記ベーン及びバンドを組み立てる段階と、
前記冷却孔を前記隅肉において露出にするために前記ベーン及びバンドを前記隙間において互いにろう付け結合する段階と、
を含むことを特徴とする方法。
【請求項９】 前記冷却孔を前記ろう付け結合で塞ぐことを防止するために、ろう付け結合の前に前記冷却孔の周りの前記隅肉にろう付防止剤を施す段階を更に含むことを特徴とする請求項８に記載の方法。
【手続補正書】
【提出日】平成20年3月31日(2008.3.31)
【手続補正１】
【補正対象書類名】特許請求の範囲
【補正対象項目名】全文
【補正方法】変更
【補正の内容】
【特許請求の範囲】
【請求項１】
ＭＦＲ（ＡＳＴＭ Ｄ−１２３８、２３０℃、２．１６ｋｇｆ）が０．５〜３０（ｇ／
１０ｍｉｎ）であり、塩素含有量が５重量ppm以下であるポリプロピレンからなることを
特徴とする粘着フィルム用セパレーター。
【請求項２】
前記ポリプロピレンが、プロピレンの単独重合体、または、プロピレンとエチレンおよび／または炭素原子数４〜１２のα−オレフィンとを共重合して得られる共重合体であることを特徴とする請求項１に記載の粘着フィルム用セパレーター。
【請求項３】
前記ポリプロピレンからなる層を含む２層以上の積層体であることを特徴とする請求項１または２に記載の粘着フィルム用セパレーター。